(57)【要約】【課題】玉と内外輪軌道溝との潤滑状態を劣化させることなく、磨耗や焼き付きの発生虞れもなく、保持器の半径方向動き量と軸方向動き量を共に抑制することが出来る冠型保持器および該保持器を用いた玉軸受を提供する【解決手段】複数のポケットを有すると共に、ポケット内面の一部が開口している冠型保持器であって、少なくとも一箇所以上のポケットに保持器半径方向動き量抑制手段Ａと保持器軸方向動き量抑制手段Ｂが施されており、保持器半径方向動き量抑制手段は、ポケット６の内径側エッジ部と外径側エッジ部のいずれか一方あるいは両方に、ポケットの軸方向線分に対して相対向して突起７を形成することであり、保持器軸方向動き量抑制手段は、ポケット６の軸方向隙間Ｌａが、円周方向隙間Ｌｒよりも小さく設定される単一あるいは複数の曲面からなるポケット面で構成されている。【選択図】　図１
2004060701.tif 000002
【特許請求の範囲】
【請求項１】
複数のポケットを有すると共に、ポケット内面の一部が開口している冠型保持器であって、
少なくとも一箇所以上のポケットに保持器半径方向動き量抑制手段と保持器軸方向動き量抑制手段が施されていることを特徴とする玉軸受用冠型保持器。
【請求項２】
保持器半径方向動き量抑制手段は、ポケットの内径側エッジ部と外径側エッジ部のいずれか一方あるいは両方に、ポケットの軸方向線分に対して相対向して設けられた突起を有し、保持器軸方向動き量抑制手段は、ポケットの軸方向隙間が、円周方向隙間よりも小さく設定される単一あるいは複数の曲面からなるポケット面を有することを特徴とする請求項１に記載の玉軸受用冠型保持器。
【請求項３】
複数のポケットを有すると共に、ポケット内面の一部が開口している冠型保持器であって、
少なくとも複数のポケットに保持器半径方向動き量抑制手段を施し、該ポケット以外のポケットの少なくとも複数のポケットに保持器軸方向動き量抑制手段が施されていることを特徴とする玉軸受用冠型保持器。
【請求項４】
保持器半径方向動き量抑制手段は、複数のポケットの内径側エッジ部と外径側エッジ部のいずれか一方あるいは両方に、ポケットの軸方向線分に対して相対向して設けられた突起を有し、保持器軸方向動き量抑制手段は、前記ポケット以外のポケットの少なくとも複数のポケットの軸方向隙間が、円周方向隙間よりも小さく設定される単一あるいは複数の曲面からなるポケット面を有することを特徴とする請求項３に記載の玉軸受用冠型保持器。
【請求項５】
請求項１、２、３又は４のいずれかに記載の玉軸受用冠型保持器を用いたことを特徴とする玉軸受。
【発明の詳細な説明】
【０００１】
【発明の属する技術分野】
本発明は、複数個の玉を内外輪間に等配かつ転動自在に保持する冠型保持器、および該保持器を用いてなる玉軸受に関するものである。
【０００２】
【従来の技術】
従来、回転体を回転・支持する機械要素として、転がり軸受、特に転動体に玉を用いた深溝玉軸受（以下、玉軸受とも称す）が広く用いられている。
玉軸受の玉は、内外輪軌道溝間に、保持器によって等配に配置されており、保持器は、鋼製のものから樹脂製のものまで用途によって多種のものがある。
特に、図２に示すようなプラスチック（熱可塑性樹脂）を用いた冠型保持器は、鋼製の保持器に比べ、形状設計の自由度が大きく、低コスト、低トルク（低摩擦・低摩耗）、軽量等の利点があり、拡大傾向にある。
近年、これらの玉軸受には、静粛性の要求が日を追う毎に厳しくなっている。
図３３，３４において、これらの保持器１００は、複数の玉１０２を内外輪軌道溝間に等配に配設・保持するポケット１０４があるが、そのポケット径Ｄ１は玉径Ｄ２よりも若干大きい径を有するように設計されており、玉１０２とポケット１０４内面との間には隙間（ポケット隙間）Ｐｓ又はＭｓ２が存在している。
よって、玉軸受の回転あるいは静止状態において、保持器１００はポケット隙間Ｐｓ又はＭｓ２分だけ自由に移動可能である（保持器動き量）。
特に図３５に示すように、保持器１００は半径方向Ｓ２あるいは軸方向Ｓ１に動くが、この保持器１００の動き量が大きいと、軸受回転中に保持器音と称する異音が発生することがあり、特に、玉軸受内にグリースが封入されている場合に生じやすい（図中、１１０は内輪、１１２は外輪）。そこで、本出願人は、この保持器の動き量を抑制する手段を施した冠型保持器について先に出願している（特開平９−１５８９５１号、特開２０００−３３７３８７）。
特開平９−１５８９５１号では、図３６に示すように「片方の側面部に開口部を有したポケット１０４を複数個備えてなる冠形保持器１００において、前記ポケット１０４が、直径方向の中心線に沿った周壁を有するストレート穴に形成されていると共に、該穴の内径端縁１０５と外径側端縁１０６とのいずれか一方あるいは双方において、転動体１０２をそれぞれの端縁側に保持する突起１０７を、ストレート穴の軸心方向に向けて相対向せしめて形成されてなる」転がり軸受用冠型保持器が提供されている。
この発明の保持器によれば、保持器の半径方向動き量をコントロールすることが可能である。
一方、特開２０００−３３７３８７では、図３７に示すように「全体が円環状をなし、円周方向の複数箇所に、ポケット面では転動体１０２を収容保持するポケット１０４を形成し、且つ、各ポケット１０４のアキシアル方向の一方側に前記転動体１０２の直径より開口幅が小さい開口部１０８を設けた転がり軸受用保持器において、前記アキシアル方向における前記転動体１０２の転動面と前記ポケット面との間に設けたアキシアル隙間δと、前記転動体１０２の回転直径Ｄａの関係を、δ／Ｄａ＝−０．０１〜０．０２の範囲に設定し、前記ポケット面を、前記開口部１０８の内側に設けた一対の第１ポケット面１０９，１０９と、これら第１のポケット面１０９，１０９の間に設けた第２のポケット面１１０とで構成し、前記第１のポケット面１０９の曲率半径Ｒａの中心を、前記転動体１０２の回転中心に略一致している前記第２のポケット面１１０の曲率半径Ｒの中心に対して、前記アキシアル方向、或いは円周方向ｈ２に偏在させた」転がり軸受用保持器が提供されている。
この発明の保持器によれば、保持器の軸方向動き量をコントロールすることが可能である。
【０００３】
【発明が解決しようとする課題】
上述した夫々の先行技術によれば、上述の通り半径方向あるいは軸方向の保持器の動きを抑制し、保持器が動くことによって生じる夫々の保持器音を効果的に抑制することはできる。
しかし、保持器音には、上述のように保持器が半径方向に動いて発生する形態と、保持器が軸方向に動くことによって発生する形態があり、それぞれ、保持器音の音色や騒音レベル、発生条件（回転数、荷重、温度、グリース等）などが異なる。
また玉軸受は、トルク、静粛性、回転精度、荷重負荷能力、取扱い性等のバランスの良さから、自動車部品、家電製品、情報機器、精密機器等、あらゆる用途に広く用いられている。さらに、これらの製品に組込まれた玉軸受の運転条件（荷重・回転数・温度・グリース等）は広範囲にわたり、例えば、自動車に搭載される玉軸受や、エアコンの室外機等、屋外で使用される場合には、広い温度範囲（例えば−４０°〜１２０°程度）での動作が要求される。また、機器の効率等の観点から、回転数の変化も広い範囲で制御される場合がある。
よって、ある機器に組込まれた玉軸受は、ある運転状況のもとでは、保持器が半径方向に動いて発生する保持器音が生じ、またある運転状況のもとでは、保持器が軸方向に動くことによって発生する保持器音が生じる場合がある。
すなわち、上記従来技術は、何れかの保持器音を抑制することにあっては効果的であるが、その両方をともに抑制するという状況下にあっては困難である場合が生じる可能性もある。
また、玉を保持するポケットと玉とのすきまを、「ほぼゼロ」にすることによって、保持器の半径方向および軸方向動きを抑制することは理論的に可能である。しかし、ポケットがグリース等の潤滑剤を掻き取ってしまい、玉と内外輪軌道溝との潤滑状態を劣化させ、摩耗や焼き付きを生じるおそれがあることから、実用化は困難である。
本発明は、従来技術の有するこのような問題点に鑑みなされたものであり、玉と内外輪軌道溝との潤滑状態を劣化させることなく、摩耗や焼き付きの発生虞れもなく、保持器の半径方向動き量と軸方向動き量を共に抑制することが出来る冠型保持器および該保持器を用いた玉軸受を提供することを目的とする。
【０００４】
【課題を解決するための手段】
上記課題を達成するために本発明がなした技術的手段は、複数のポケットを有すると共に、ポケット内面の一部が開口している冠型保持器であって、少なくとも一箇所以上のポケットに保持器半径方向動き量抑制手段と保持器軸方向動き量抑制手段が施されている玉軸受用冠型保持器としたことである。この場合において、保持器半径方向動き量抑制手段は、ポケットの内径側エッジ部と外径側エッジ部のいずれか一方あるいは両方に、ポケットの軸方向線分に対して相対向して設けられた突起を有し、保持器軸方向動き量抑制手段は、ポケットの軸方向隙間が、円周方向隙間よりも小さく設定される単一あるいは複数の曲面からなるポケット面を有することである。
また、複数のポケットを有すると共に、ポケット内面の一部が開口している冠型保持器であって、少なくとも複数のポケットに保持器半径方向動き量抑制手段を施し、該ポケット以外のポケットの少なくとも複数のポケットに保持器軸方向動き量抑制手段が施されている玉軸受用冠型保持器とすることもできる。この場合において、保持器半径方向動き量抑制手段は、複数のポケットの内径側エッジ部と外径側エッジ部のいずれか一方あるいは両方に、ポケットの軸方向線分に対して相対向して設けられた突起を有し、保持器軸方向動き量抑制手段は、前記ポケット以外のポケットの少なくとも複数のポケットの軸方向隙間が、円周方向隙間よりも小さく設定される単一あるいは複数の曲面からなるポケット面を有することである。
玉軸受を構成するにあたり、上述のいずれかに記載の玉軸受用冠型保持器を用いるものとする。
【０００５】
【発明の実施の形態】
以下、本発明転がり軸受の一実施形態を図に基づいて説明する。
なお、本実施形態は本発明の一実施形態にすぎず何らこれに限定して解釈されるものではなく、本発明の範囲内で適宜設計変更可能である。
【０００６】
図１は、本発明の保持器を使用した本発明転がり軸受の一実施形態を示す。
転がり軸受は、外輪１と内輪２からなる一対の軸受軌道輪と、該外輪１と内輪２の間に冠型保持器４を介して組み込まれる複数個の転動体（玉）３と、外輪１と内輪２の間に必要に応じて備えられ軸受内を密封する密封板（接触若しくは非接触シール又はシールド）５とによって構成されている。
また、本実施形態において、冠型保持器４以外の構成、例えば外輪１、内輪２、密封板５にあっては特に図示形態に限定されず任意に設計変更可能であるが、転動体（玉）３にあっては、同一サイズ（同一直径）のものを所望数組み込むものとする。軸受内には、必要に応じてグリース・潤滑油が入れられる。
本発明は、上記軸受構成の内、冠型保持器４に特徴的な構成を有するため、以下、冠型保持器についての説明を中心に述べる。
【０００７】
例えば図２に代表例として挙げるように、冠型保持器４は、ポケット内面の一部が開口している所望径のポケット６を、円周方向に等間隔に複数個設けた円環状の保持器である。
そして、本発明は、この種の冠型保持器４のポケット６に、以下に説明する保持器の半径方向動き量を抑制する技術的手段Ａと、軸方向動き量を抑制する技術的手段Ｂからなる特有の技術的手段を施すものとしている。
【０００８】
次に、保持器の半径方向動き量を抑制する技術的手段Ａの一実施形態と、軸方向動き量を抑制する技術的手段Ｂの一実施形態を夫々分けて説明すると共に、夫々の手段ＡＢを施した保持器のポケット位置を図と共に説明する。
【０００９】
「保持器の半径方向動き量を抑制する技術的手段Ａ」
図３乃至図８は、冠型保持器４の半径方向動き量を抑制する手段Ａの一例を挙げたものである。
【００１０】
図３乃至５は、ポケット６を内径側エッジ部６ａと外径側エッジ部６ｂのいずれか一方あるいは両方に、保持器４のポケット６の軸方向線分に対して相対向して突起７，７を形成した形態例である。
図３は、ポケット６を内径側エッジ部６ａにおいて、保持器４のポケット６の軸方向線分に対して相対向して突起７，７を形成した形態例である。
図４は、ポケット外径側エッジ部６ｂにおいて、保持器４のポケット６の軸方向線分に対して相対向して突起７，７を形成した形態例である。
図５は、ポケット内径側エッジ部６ａと外径側エッジ部６ｂの両方において、保持器４のポケット６の軸方向線分に対して相対向して突起７，７を形成した形態例である。
図３乃至図５に示したものは、突起７のエッジ部が、玉３と接触することで保持器４の半径方向動き量を抑制し、その他のポケット面には、潤滑剤が付着・堆積しており、それが玉表面に塗布されることによって、玉３と外内輪軌道溝との潤滑に寄与する。
図３乃至図５に示したものは、保持器の半径方向動き量を抑制する技術的手段Ａの一形態に過ぎず、その突起７の寸法・形状等は、保持器の半径方向動き量を抑制することが可能な形態であれば良く、本発明の範囲内において適宜設計変更可能である。
【００１１】
図６乃至図８は、ポケット６を内径側エッジ部６ａと外径側エッジ部６ｂのいずれか一方あるいは両方に、保持器４のポケット６の軸方向線分に対して相対向して突起７，７を形成した形態例である。
図６は、突起７，７が、ポケット６の軸方向線分に対して相対向して、夫々連続した形状を有した形態である。
図７は、突起７，７が、ポケット６の軸方向線分に対して相対向して夫々複数に分割された形状を有した形態である。
図８は、図７に関する改良型で、突起７，７形状を保持器内径側あるいは外径側から見て半円状に形成した形態である。
図６乃至図８に示したものは、突起７のエッジ部が、玉３と接触することで保持器４の半径方向動き量を抑制し、その他のポケット面には、潤滑剤が付着・堆積しており、それが玉表面に塗布されることによって、玉３と外内輪軌道溝との潤滑に寄与する。
図６乃至図８に示したものは、保持器の半径方向動き量を抑制する技術的手段Ａの一形態に過ぎず、その突起７の寸法・形状等は、保持器の半径方向動き量を抑制することが可能な形態であれば良く、本発明の範囲内において適宜設計変更可能である。
【００１２】
図９は、保持器の半径方向動き量を抑制する技術的手段Ａのもう一つの例で、ポケット６のＰＣＤ（ピッチ円直径）を玉３のＰＣＤに対して偏在させる手段であり、すなわち、ポケット６の中心を、外内輪１，２間に玉３を組込んだ場合の玉３の中心に対して、偏在させるものである。
図９では、ポケット６の中心を、玉３の中心に対して半径方向外側へ取っているが、その逆（ポケット６の中心を玉３の中心に対して半径方向内側）でも良い。図９においては、ポケット６の内径側エッジ６ａあるいは外径側エッジ６ｂが玉３と接触するが、各々、反対方向のエッジに至る領域には、玉３とポケット６とのすきまが存在し、潤滑剤が付着・堆積しており、それが玉表面に塗布されることによって、玉３と外内輪軌道溝との潤滑に寄与する。
【００１３】
「保持器の軸方向動き量を抑制する手段Ｂ」
図１１乃至図１７は、保持器４の軸方向動き量を抑制する手段Ｂの一例を挙げたもので、図１０に示すように、ポケット６の軸方向隙間Ｌａが、円周方向隙間Ｌｒよりも小さく設定された、単一あるいは複数の曲面からなるポケット面６ｃで構成した形態例である。
図１１は、ポケット面６ｃが、二つの曲率半径および曲率中心からなる複合面６ｄ，６ｄと６ｅで構成されている。
図１２は、ポケット面６ｃが、一つの曲率半径および曲率中心をもつ曲面６ｄと、平面６ｆとからなる複合面６ｄ，６ｄと６ｆで構成されている。
図１３は、ポケット面６ｃが、二つの曲率半径および一つの曲率中心からなる複合面（楕円）６ｄ，６ｄと６ｇで構成されている。
図１４は、ポケット底面６ｈが、保持器開口側に向かって突出する一つの突起６ｉを設けた複合面である。
図１５は、ポケット底面６ｈが、保持器開口側に向かって突出する二つの突起６ｉを設けた複合面である。
図１６は、ポケット開口側面６ｊに、ポケット底面６ｈ側に向かって突出する二つの突起６ｉを設けた複合面である。
図１７は、夫々のポケット６の中心（単一曲面）を通る線分が、玉３の中心を通る線分に対して、軸方向側に偏在している形態である。
図１１乃至図１７に示した形態のポケット６は、図３乃至９の場合と同様に、玉３とポケット６のすきまが存在し、潤滑剤が付着・堆積しており、それが玉表面に塗布されることによって、玉３と外内輪軌道溝との潤滑に寄与する。
図１１乃至図１７に示したものは、保持器の軸方向動き量を抑制する手段Ｂの一形態に過ぎず何ら限定されず、寸法・形状等は、保持器の軸方向動き量を抑制することが可能な形態であれば良く、本発明の範囲内において適宜設計変更可能である。
【００１４】
したがって、上述した図３乃至図１７に示す形態（手段）を、以下に説明する図１８乃至図３２に示したポケット位置に適応することにより、保持器の半径方向動き量と軸方向動き量の両方を抑制することが可能となる。
これら手段の組合せは、以下の実施形態に限定されるものではなく、本発明の範囲内において自由であって適宜設計変更可能である。
【００１５】
「保持器の半径方向動き量抑制手段Ａと軸方向動き量抑制手段Ｂのポケット位置適応例」
図１８は、６つのポケットを有する冠型保持器４において、三箇所のポケット６の夫々すべてに、保持器の半径方向動き量を抑制する手段Ａおよび、軸方向動き量を抑制する手段Ｂが設定されている形態の位置関係を示したものである（すなわち、三箇所のポケット６のそれぞれにＡ＋Ｂ構成を有している）。
本実施形態では、この三箇所のポケット６は、１２０°等配に位置している。これ以外のポケット６″は、周知の形状のポケットに形成し、好ましくは、玉との半径方向隙間および軸方向隙間をより大きく設定し、該ポケットが玉を拘束、あるいは玉が該ポケットを回転駆動することがないように設定する。
なお、保持器の半径方向動き量を抑制する手段Ａと、軸方向動き量を抑制する手段Ｂは、上述した実施の形態から任意に選択して適用される。
図１９は、７つのポケットを有する冠型保持器４において、三箇所のポケット６の夫々すべてに、保持器の半径方向動き量を抑制する手段Ａおよび、軸方向動き量を抑制する手段Ｂが設定されている形態の位置関係を示したものである（すなわち、三箇所のポケット６のそれぞれにＡ＋Ｂ構成を有している）。
本実施形態では、ポケット総数が７つのため、この三箇所のポケット６は、１２０°等配の位置とはならない。したがって、できる限り１２０°等配の位置となるように設定する。これ以外のポケット６″は、周知の形状のポケットに形成し、好ましくは、玉との半径方向隙間および軸方向隙間をより大きく設定し、該ポケット６″が玉を拘束、あるいは玉が該ポケット６″を回転駆動することがないように設定する。
図２０は、８つのポケットを有する冠型保持器４において、三箇所のポケット６の夫々全てに、保持器の半径方向動き量を抑制する手段Ａおよび、軸方向動き量を抑制する手段Ｂが設定されている形態の位置関係を示したものである（すなわち、三箇所のポケット６のそれぞれにＡ＋Ｂ構成を有している）。
本実施形態では、ポケット総数が８つのため、この三箇所のポケット６は、１２０°等配の位置とはならない。したがって、できる限り１２０°等配の位置となるように設定する。これ以外のポケット６″は、周知の形状のポケットに形成し、好ましくは、玉との半径方向隙間および軸方向隙間をより大きく設定し、該ポケット６″が玉を拘束、あるいは玉が該ポケット６″を回転駆動することがないように設定する。
【００１６】
図２１は、６つのポケットを有する冠型保持器４において、三箇所のポケット６には保持器の半径方向動き量を抑制する手段Ａを設定し、他の三箇所のポケット６′には、軸方向動き量を抑制する手段Ｂが設定されている形態の位置関係を示したものである。
図２１のポケットは、夫々異なる抑制手段を設定しているので、保持器の半径方向動き量を抑制する手段Ａを設定したポケット６と、軸方向動き量を抑制する手段Ｂを設定したポケット６′が交互に配置されるようにする。
従って、本実施形態の場合、保持器の半径方向動き量を抑制する手段Ａを設定したポケット６と、軸方向動き量を抑制する手段Ｂを設定したポケット６′は、夫々１２０°等配に位置している。
図２１において、黒塗りしたポケット６に、保持器の半径方向動き量を抑制する手段Ａを設定した場合には、斜線部のポケット６′は、軸方向動き量を抑制する手段Ｂを設定する。
図２２は、７つのポケットを有する冠型保持器４において、三箇所のポケット６には保持器の半径方向動き量を抑制する手段Ａを設定し、他の三箇所のポケット６′には、軸方向動き量を抑制する手段Ｂが設定されている形態の位置関係を示したものである。
図２２の場合、保持器の半径方向動き量を抑制する手段Ａを設定したポケット６と、軸方向動き量を抑制する手段Ｂを設定したポケット６′は、夫々１２０°等配とはならないので、出来るだけ１２０°等配の位置となるように設定する。本実施形態では、夫々のポケットに異なる抑制手段を設定しているので、保持器の半径方向動き量を抑制する手段Ａを設定したポケット６と、軸方向動き量を抑制する手段Ｂを設定したポケット６′が交互に配置されるようにする。
図２２において、黒塗りしたポケット６が保持器の半径方向動き量を抑制する手段Ａを設定した場合には、斜線部のポケット６′は、軸方向動き量を抑制する手段Ｂを設定する。
図２２において、保持器４の半径方向動き量を抑制する手段Ａを三箇所設定し、他の三箇所に、軸方向動き量を抑制する手段Ｂを設定した場合、残りの一箇所のポケット６″は、周知の形状のポケットに設定し、好ましくは、玉３との半径方向隙間および、軸方向隙間をより大きく設定し、該ポケット６″が玉３を拘束、あるいは玉３が該ポケット６″を回転駆動することがないように設定する。ただし、軸受の運転条件、保持器加工等、諸般の事情により、保持器の半径方向動き量を抑制する手段Ａあるいは、軸方向動き量を抑制する手段Ｂあるいは、その両方を設定することも可能である。
図２３は、８つのポケットを有する冠型保持器４において、三箇所のポケット６に保持器の半径方向動き量を抑制する手段Ａを設定し、他の三箇所のポケット６′に軸方向動き量を抑制する手段Ｂが設定されている形態の位置関係を示したものである。
図２３の場合、保持器の半径方向動き量を抑制する手段Ａを設定したポケット６と、軸方向動き量を抑制する手段Ｂを設定したポケット６′は、各々、１２０°等配とならないので、出来るだけ１２０°等配の位置となるように設定する。
図２３のポケットは、夫々異なる抑制手段を設定しているので、保持器の半径方向動き量を抑制する手段Ａを設定したポケット６と、軸方向動き量を抑制する手段Ｂを設定したポケット６′が交互に配置されるようにする。
図２３において、黒塗りしたポケット６が保持器の半径方向動き量を抑制する手段Ａを設定した場合には、斜線部のポケット６′は、軸方向動き量を抑制する手段Ｂを設定する。
図２３において、保持器４の半径方向動き量を抑制する手段Ａを三箇所設定し、他の三箇所に軸方向動き量を抑制する手段Ｂを設定した場合、残りの二箇所のポケット６″は、周知の形状のポケットに設定し、好ましくは、玉３との半径方向隙間および、軸方向隙間をより大きく設定し、該ポケット６″が玉３を拘束、あるいは玉３が該ポケット６″を回転駆動することが無いように設定する。ただし、軸受の運転条件、保持器加工等、諸般の事情により、保持器の半径方向動き量を抑制する手段Ａあるいは、軸方向動き量を抑制する手段Ｂあるいは、その両方を設定することも可能である。
【００１７】
図１８乃至図２３は、三箇所のポケットに対して、保持器の半径方向動き量を抑制する手段Ａあるいは、軸方向動き量を抑制する手段Ｂあるいは、その両方を設定する例であるが、ポケット総数が、６、７、８以外の保持器にも適応可能であり、１２０°等配あるいは出来るだけ１２０°等配となるように設定すればよい。
また、残りのポケット６″については、周知の形状のポケットに設定し、好ましくは、玉３との半径方向隙間および、軸方向隙間をより大きく設定し、該ポケット６″が玉３を拘束、あるいは玉３が該ポケット６″を回転駆動することが無いように設定するか、保持器４の半径方向動き量を抑制することも可能である。
【００１８】
図２４は、８つのポケットを有する冠型保持器において、四箇所のポケット６のそれぞれすべてに、保持器の半径方向動き量を抑制する手段Ａおよび、軸方向動き量を抑制する手段Ｂが併せて設定されている形態の位置関係を示したものである（すなわち、夫々のポケット６にＡ＋Ｂ構成を有している）。
図２４の四箇所のポケット６は、９０°等配に位置している。図２４のそれ以外のポケット６″は、周知の形状のポケットに設定し、好ましくは、玉３との半径方向隙間および、軸方向隙間をより大きく設定し、該ポケット６″が玉３を拘束、あるいは玉３が該ポケット６″を回転駆動することが無いように設定する。
図２５は、９つのポケットを有する冠型保持器において、四箇所のポケット６の夫々すべてに、保持器の半径方向動き量を抑制する手段Ａおよび軸方向動き量を抑制する手段Ｂが夫々設定されている形態の位置関係を示したものである（すなわち、夫々のポケット６にＡ＋Ｂ構成を有している）。
図２５は、９つのポケットであるので、上記のＡ＋Ｂのポケット６は、９０°等配の位置とならないので、このような場合には、出来るだけ９０°等配の位置となるように設定する。
それ以外のポケット６″は、周知の形状のポケットに設定し、好ましくは、玉３との半径方向隙間および、軸方向隙間をより大きく設定し、該ポケット６″が玉３を拘束、あるいは該ポケット６″が玉３を拘束、あるいは玉３が該ポケット６″を回転駆動することが無いように設定する。
図２６は、１０個のポケットを有する冠型保持器４において、四箇所のポケットの夫々すべてに、保持器の半径方向動き量を抑制する手段Ａおよび、軸方向動き量を抑制する手段Ｂが夫々設定されている形態の位置関係を示したものである（すなわち、夫々のポケット６にＡ＋Ｂ構成を有している）。
図２６は、１０個のポケットであるので、上記Ａ＋Ｂのポケット６は、９０°等配の位置とならないので、このような場合には、出来るだけ９０°等配の位置となるように設定する。
それ以外のポケット６″は、周知の形状のポケットに設定し、好ましくは、玉との半径方向隙間および、軸方向隙間をより大きく設定し、該ポケットが玉を拘束、あるいは玉が該ポケットが玉を拘束、あるいは玉が該ポケットを回転駆動することが無いように設定する。
【００１９】
図２７は、８つのポケットを有する冠型保持器において、四箇所のポケット６に保持器の半径方向動き量を抑制する手段Ａを設定し、他の四箇所のポケット６′において、軸方向動き量を抑制する手段Ｂが設定されている形態の位置関係を示したものである。
図２７のポケットは各々、異なる抑制手段を設定しているので、保持器の半径方向動き量を抑制する手段Ａを設定したポケット６と、軸方向動き量を抑制する手段Ｂを設定したポケット６′が交互に配置されるようにする。
図２７の場合、保持器の半径方向動き量を抑制する手段Ａを設定したポケット６と、軸方向動き量を抑制する手段Ｂを設定したポケット６′は、夫々９０°等配に位置している。
図２７において、黒塗りしたポケット６が保持器の半径方向動き量を抑制する手段Ａを設定した場合には、斜線部のポケット６′は、軸方向動き量を抑制する手段Ｂを設定する。
図２８は、９つのポケットを有する冠型保持器において、四箇所のポケット６に保持器の半径方向動き量を抑制する手段Ａを設定し、他の四箇所のポケット６′において、軸方向動き量を抑制する手段Ｂが設定されている形態の位置関係を示したものである。
図２８の場合、保持器の半径方向動き量を抑制する手段Ａを設定したポケット６と、軸方向動き量を抑制する手段Ｂを設定したポケット６′は、夫々９０°等配とならないので、出来るだけ９０°等配の位置となるように設定する。
図２８のポケットは、夫々異なる抑制手段を設定しているので、保持器の半径方向動き量を抑制する手段Ａを設定したポケット６と、軸方向動き量を抑制する手段Ｂを設定したポケット６′が交互に配置されるようにする。
図２８において、黒塗りしたポケット６が保持器の半径方向動き量を抑制する手段Ａを設定した場合には、斜線部のポケット６′は、軸方向動き量を抑制する手段Ｂを設定する。
図２８において、保持器の半径方向動き量を抑制する手段Ａを四箇所設定し、他の四箇所に、軸方向動き量を抑制する手段Ｂを設定した場合、残りの一箇所のポケット６″は、周知の形状のポケットに設定し、好ましくは、玉との半径方向隙間および、軸方向隙間をより大きく設定し、該ポケットが玉を拘束、あるいは玉が該ポケットを回転駆動することが無いように設定する。
ただし、軸受の運転条件、保持器加工等、諸般の事情により、保持器の半径方向動き量を抑制する手段Ａあるいは、軸方向動き量を抑制する手段Ｂあるいは、その両方を設定することも可能である。
図２９は、１０個のポケットを有する冠型保持器において、四箇所のポケット６に、保持器の半径方向動き量を抑制する手段Ａを設定し、他の四箇所のポケット６′において、軸方向動き量を抑制する手段Ｂが設定されている形態の位置関係を示したものである。
図２９の場合、保持器の半径方向動き量を抑制する手段Ａを設定したポケット６と、軸方向動き量を抑制する手段Ｂを設定したポケット６′は、夫々９０°等配とならないので、出来るだけ９０°等配の位置となるように設定する。
図２９のポケットは各々、異なる抑制手段を設定しているので、保持器の半径方向動き量を抑制する手段Ａを設定したポケット６と、軸方向動き量を抑制する手段Ｂを設定したポケット６′が交互に配置されるようにする。
図２９において、黒塗りしたポケット６が保持器の半径方向動き量を抑制する手段Ａを設定した場合には、斜線部のポケット６′は、軸方向動き量を抑制する手段Ｂを設定する。
図２９において、保持器の半径方向動き量を抑制する手段Ａを四箇所設定し、他の四箇所に、軸方向動き量を抑制する手段Ｂを設定した場合、残りの二箇所のポケット６″は、周知の形状のポケットに設定し、好ましくは、玉との半径方向隙間および、軸方向隙間をより大きく設定し、該ポケットが玉を拘束、あるいは玉が該ポケットを回転駆動することが無いように設定する。
ただし、軸受の運転条件、保持器加工等、諸般の事情により、保持器の半径方向動き量を抑制する手段Ａあるいは、軸方向動き量を抑制する手段Ｂあるいは、その両方を設定することも可能である。
【００２０】
図２４乃至図２９は、四箇所のポケットに対して、保持器の半径方向動き量を抑制する手段Ａあるいは、軸方向動き量を抑制する手段Ｂあるいは、その両方を設定する例であるが、ポケット総数が、８、９、１０以外の保持器にも適応可能であり、９０°等配あるいは、出来るだけ９０°等配となるように設定すればよい。
ただし、三箇所（１２０°等配）の設定が可能な場合には、図１８乃至図２３に示した実施例を適用することも可能である。
また、残りのポケット６″については、周知の形状のポケットに設定し、好ましくは、玉との半径方向隙間および、軸方向隙間をより大きく設定し、該ポケットが玉を拘束、あるいは玉が該ポケットを回転駆動することが無いように設定するか、保持器の半径方向動き量を抑制する手段Ａあるいは、軸方向動き量を抑制する手段Ｂあるいは、その両方を設定することも可能である。
図１８乃至図２９では、三箇所あるいは四箇所のポケットに対して、保持器の半径方向動き量を抑制する手段Ａあるいは、軸方向動き量を抑制する手段Ｂあるいは、その両方を設定する例を示したが、全てのポケットにおいて、保持器の半径方向動き量を抑制する手段Ａあるいは、軸方向動き量を抑制する手段Ｂあるいはその両方を設定することも可能である。
【００２１】
図３０乃至図３２は、二箇所のポケットに対して、保持器の半径方向動き量を抑制する手段Ａあるいは、軸方向動き量を抑制する手段Ｂあるいは、その両方を設定する例を示しているが、図３０、図３２のように、設定したポケット６が、対称位置となるようにすることが好ましいが、ポケット６が対称位置に無い場合には、出来るだけ対称位置となる二つのポケットに対して設定する。
図において、どちらか一方の黒塗りした位置のポケット６が保持器の半径方向動き量を抑制する手段Ａを設定した場合には、もう一方の黒塗りした位置のポケット６が、軸方向動き量を抑制する手段Ｂを設定するようにする。
どちらか一方の黒塗りした位置のポケット６が保持器の半径方向動き量を抑制する手段Ａおよび、軸方向動き量を抑制する手段Ｂの両方を設定した場合には、もう一方の黒塗りした位置のポケットは、半径方向動き量を抑制する手段Ａあるいは、軸方向動き量を抑制する手段Ｂあるいはその両方を設定するようにする。
【００２２】
【発明の効果】
本発明は、上述の通りの構成を有することにより、玉と内外輪軌道溝との潤滑状態を劣化させることなく、摩耗や焼き付きの発生虞れもなく、保持器の半径方向動き量と軸方向動き量を共に抑制することが出来る冠型保持器および該保持器を用いた玉軸受の提供が成し得る。
【図面の簡単な説明】
【図１】本発明冠型保持器を用いた玉軸受の一実施形態を示す縦断面図。
【図２】冠型保持器の一実施形態を示す斜視図。
【図３】保持器半径方向動き量抑制手段の一実施形態を拡大して示す概略断面図。
【図４】保持器半径方向動き量抑制手段の一実施形態を拡大して示す概略断面図。
【図５】保持器半径方向動き量抑制手段の一実施形態を拡大して示す概略断面図。
【図６】保持器半径方向動き量抑制手段の一実施形態を拡大して示す概略断面図。
【図７】保持器半径方向動き量抑制手段の一実施形態を拡大して示す概略断面図。
【図８】保持器半径方向動き量抑制手段の一実施形態を拡大して示す概略断面図。
【図９】保持器半径方向動き量抑制手段の一実施形態を拡大して示す概略断面図。
【図１０】保持器ポケットの軸方向隙間が円周方向隙間より小さく設定されたポケット面を示す形態例で、（ａ）はポケットの円周方向隙間を示し、（ｂ）は軸方向隙間を示す。
【図１１】保持器半径方向動き量抑制手段の一実施形態を拡大して示す概略断面図。
【図１２】保持器軸方向動き量抑制手段の一実施形態を拡大して示す概略断面図。
【図１３】保持器軸方向動き量抑制手段の一実施形態を拡大して示す概略断面図。
【図１４】保持器軸方向動き量抑制手段の一実施形態を拡大して示す概略断面図。
【図１５】保持器軸方向動き量抑制手段の一実施形態を拡大して示す概略断面図。
【図１６】保持器軸方向動き量抑制手段の一実施形態を拡大して示す概略断面図。
【図１７】保持器半径方向動き量抑制手段と軸方向動き量抑制手段を適応するポケット位置例を示す概略図。
【図１８】保持器半径方向動き量抑制手段と軸方向動き量抑制手段を適応するポケット位置例を示す概略図。
【図１９】保持器半径方向動き量抑制手段と軸方向動き量抑制手段を適応するポケット位置例を示す概略図。
【図２０】保持器半径方向動き量抑制手段と軸方向動き量抑制手段を適応するポケット位置例を示す概略図。
【図２１】保持器半径方向動き量抑制手段と軸方向動き量抑制手段を適応するポケット位置例を示す概略図。
【図２２】保持器半径方向動き量抑制手段と軸方向動き量抑制手段を適応するポケット位置例を示す概略図。
【図２３】保持器半径方向動き量抑制手段と軸方向動き量抑制手段を適応するポケット位置例を示す概略図。
【図２４】保持器半径方向動き量抑制手段と軸方向動き量抑制手段を適応するポケット位置例を示す概略図。
【図２５】保持器半径方向動き量抑制手段と軸方向動き量抑制手段を適応するポケット位置例を示す概略図。
【図２６】保持器半径方向動き量抑制手段と軸方向動き量抑制手段を適応するポケット位置例を示す概略図。
【図２７】保持器半径方向動き量抑制手段と軸方向動き量抑制手段を適応するポケット位置例を示す概略図。
【図２８】保持器半径方向動き量抑制手段と軸方向動き量抑制手段を適応するポケット位置例を示す概略図。
【図２９】保持器半径方向動き量抑制手段と軸方向動き量抑制手段を適応するポケット位置例を示す概略図。
【図３０】保持器半径方向動き量抑制手段と軸方向動き量抑制手段を適応するポケット位置例を示す概略図。
【図３１】保持器半径方向動き量抑制手段と軸方向動き量抑制手段を適応するポケット位置例を示す概略図。
【図３２】保持器半径方向動き量抑制手段と軸方向動き量抑制手段を適応するポケット位置例を示す概略図。
【図３３】玉と保持器ポケット内面との隙間を示す概略断面図。
【図３４】玉と保持器ポケット内面との隙間を示す概略断面図
【図３５】保持器の半径方向と軸方向の動き量を示す概略断面図。
【図３６】先行技術を示す拡大断面図。
【図３７】先行技術を示す拡大断面図。
【符号の説明】
１：外輪
２：内輪
３：玉
４：冠型保持器
６：ポケット
７：突起
Ｌｒ：円周方向隙間
Ｌａ：軸方向隙間
Ａ：保持器半径方向動き量抑制手段
Ｂ：保持器軸方向動き量抑制手段
【図１】
2004060701.tif 000003
【図２】
2004060701.tif 000004
【図３】
2004060701.tif 000005
【図４】
2004060701.tif 000006
【図５】
2004060701.tif 000007
【図６】
2004060701.tif 000008
【図７】
2004060701.tif 000009
【図８】
2004060701.tif 000010
【図９】
2004060701.tif 000011
【図１０】
2004060701.tif 000012
【図１１】
2004060701.tif 000013
【図１２】
2004060701.tif 000014
【図１３】
2004060701.tif 000015
【図１４】
2004060701.tif 000016
【図１５】
2004060701.tif 000017
【図１６】
2004060701.tif 000018
【図１７】
2004060701.tif 000019
【図１８】
2004060701.tif 000020
【図１９】
2004060701.tif 000021
【図２０】
2004060701.tif 000022
【図２１】
2004060701.tif 000023
【図２２】
2004060701.tif 000024
【図２３】
2004060701.tif 000025
【図２４】
2004060701.tif 000026
【図２５】
2004060701.tif 000027
【図２６】
2004060701.tif 000028
【図２７】
2004060701.tif 000029
【図２８】
2004060701.tif 000030
【図２９】
2004060701.tif 000031
【図３０】
2004060701.tif 000032
【図３１】
2004060701.tif 000033
【図３２】
2004060701.tif 000034
【図３３】
2004060701.tif 000035
【図３４】
2004060701.tif 000036
【図３５】
2004060701.tif 000037
【図３６】
2004060701.tif 000038
【図３７】
2004060701.tif 000039